(57)【要約】【課題】受験・受講者の自宅において各種試験や講習を受けることが可能な遠隔試験・講習システムを提供する。【解決手段】試験・講習主催者側に試験・講習を実行する試験・講習装置１１を設置するとともに、受験・受講者側（自宅１９）に受験・受講端末装置２０を設置し、これらを通信回線１８を介して互いに通信可能に接続することで、遠隔で受験・受講を可能とする。【選択図】      図１
2005258364.tif 000002
【特許請求の範囲】
【請求項１】
試験・講習主催者側に設置され、試験・講習を実行する試験・講習装置と、受験・受講者側に設置され、前記試験・講習装置と通信回線を介して互いに通信可能に接続された受験・受講端末装置とを有して構成され、
前記受験・受講端末装置は、
受験・受講者から本人を確認するための確認情報を取得する第１の確認情報取得手段と、
この第１の確認情報取得手段により取得された確認情報を前記試験・講習装置へ送信する第１の送信手段とを具備し、
前記試験・講習装置は、
前記受験・受講端末装置の第１の送信手段により送信された確認情報を受信し、あらかじめ登録されている確認情報と照合することにより当該受験・受講者が本人であるか否かを判定する第１の照合手段と、
この第１の照合手段による判定の結果、当該受験・受講者が本人である場合、前記受験・受講端末装置との間で試験・講習データの授受等を行なうことにより当該受験・受講者に対し所望の試験・講習を実行する試験・講習手段とを具備し、
前記受験・受講端末装置は、
前記試験・講習装置の試験・講習手段により試験・講習が行なわれている際、あらかじめ定められた時間ごとに当該受験・受講者の生体情報を取得する生体情報取得手段と、
この生体情報取得手段により取得された生体情報を前記試験・講習装置へ送信する第２の送信手段とを具備し、
前記試験・講習装置は、
前記受験・受講端末装置の第２の送信手段により送信された生体情報を受信し、あらかじめ登録されている生体情報と照合することにより当該受験・受講者が他人に入れ替わったか否かを判定する第２の照合手段と、
この第２の照合手段の判定結果に基づきあらかじめ定められた所定の制御を実行する第１の制御手段と、
前記試験・講習手段による試験・講習が終了すると、その試験・講習結果を前記受験・受講端末装置へ送信する第３の送信手段とを具備し、
前記受験・受講端末装置は、
前記試験・講習装置の第３の送信手段により送信された試験・講習結果を受信し、当該受験・受講者に対し出力する出力手段を具備したことを特徴とする遠隔試験・講習システム。
【請求項２】
試験・講習主催者側に設置され、試験・講習を実行する試験・講習装置と、受験・受講者側に設置され、前記試験・講習装置と通信回線を介して互いに通信可能に接続された受験・受講端末装置とを有して構成され、
前記受験・受講端末装置は、
受験・受講者から本人を確認するための確認情報を取得する第１の確認情報取得手段と、
この第１の確認情報取得手段により取得された確認情報を前記試験・講習装置へ送信する第１の送信手段とを具備し、
前記試験・講習装置は、
前記受験・受講端末装置の第１の送信手段により送信された確認情報を受信し、あらかじめ登録されている確認情報と照合することにより当該受験・受講者が本人であるか否かを判定する第１の照合手段と、
この第１の照合手段による判定の結果、当該受験・受講者が本人である場合、前記受験・受講端末装置との間で試験・講習データの授受等を行なうことにより当該受験・受講者に対し所望の試験・講習を実行する試験・講習手段とを具備し、
前記受験・受講端末装置は、
前記試験・講習装置の試験・講習手段により試験・講習が行なわれている際、あらかじめ定められた時間ごとに当該受験・受講者の生体情報を取得する生体情報取得手段と、
この生体情報取得手段により取得された生体情報を前記試験・講習装置へ送信する第２の送信手段と、
前記試験・講習装置の試験・講習手段により試験・講習が行なわれている際、当該受験・受講者の受験・受講状況を監視する監視手段と、
この監視手段による監視内容を前記試験・講習装置へ送信する第３の送信手段とを具備し、
前記試験・講習装置は、
前記受験・受講端末装置の第２の送信手段により送信された生体情報を受信し、あらかじめ登録されている生体情報と照合することにより当該受験・受講者が他人に入れ替わったか否かを判定する第２の照合手段と、
この第２の照合手段の判定結果に基づきあらかじめ定められた所定の制御を実行する第１の制御手段と、
前記受験・受講端末装置の第３の送信手段により送信された監視内容を受信し、この受信した監視内容を記録する記録手段と、
前記受験・受講端末装置の第３の送信手段により送信された監視内容を受信し、その監視内容に不正な事項がないか否かを判定する第１の判定手段と、
この第１の判定手段の判定結果に基づきあらかじめ定められた所定の制御を実行する第２の制御手段と、
前記試験・講習手段による試験・講習が終了すると、その試験・講習結果を前記受験・受講端末装置へ送信する第４の送信手段とを具備し、
前記受験・受講端末装置は、
前記試験・講習装置の第４の送信手段により送信された試験・講習結果を受信し、当該受験・受講者に対し出力する出力手段を具備したことを特徴とする遠隔試験・講習システム。
【請求項３】
前記試験・講習装置は、さらに、
前記受験・受講端末装置の出力手段により出力された試験・講習結果に基づき資格・免許証等を受取りにきた受験・受講者から本人を確認するための確認情報を取得する第２の確認情報取得手段と、
この第２の確認情報取得手段により取得された確認情報を前記受験・受講端末装置の第１の送信手段により送信された確認情報と照合することにより当該受験・受講者が本人であるか否かを判定する第３の照合手段と、
この第３の照合手段による判定の結果、当該受験・受講者が本人である場合、当該受験・受講者に対し資格・免許証等の交付を許可する手段と、
を具備したことを特徴とする請求項２記載の遠隔試験・講習システム。
【請求項４】
前記受験・受講端末装置の監視手段は、
前記試験・講習装置の試験・講習手段により試験・講習が行なわれている際、当該受験・受講者の受験・受講状況を画像により監視する画像監視手段と、
前記試験・講習装置の試験・講習手段により試験・講習が行なわれている際、当該受験・受講者の受験・受講状況を音声により監視する音声監視手段と、
を有して構成されていることを特徴とする請求項２記載の遠隔試験・講習システム。
【請求項５】
前記試験・講習装置の第１の判定手段は、
前記受験・受講端末装置の画像監視手段から得られる監視内容にあらかじめ登録された不正が行なわれたと見なせる画像が存在するか否かを判定する画像不正判定手段と、
前記受験・受講端末装置の音声監視手段から得られる監視内容にあらかじめ登録された不正が行なわれたと見なせる音声が存在するか否かを判定する音声不正判定手段と、
を有して構成されていることを特徴とする請求項４記載の遠隔試験・講習システム。
【請求項６】
前記試験・講習装置の第１の制御手段が実行する所定の制御とは、前記第２の照合手段により受験・受講者が他人に入れ替わっていないと判定された場合は前記試験・講習手段による試験・講習を継続するよう制御し、前記第２の照合手段により受験・受講者が他人に入れ替わっていると判定された場合は前記試験・講習手段による試験・講習を強制終了するか、前記試験・講習装置に警告文を出力するよう制御することを特徴とする請求項１または請求項２記載の遠隔試験・講習システム。
【請求項７】
前記受験・受講者が本人か否かを確認するための確認情報は、顔画像、指紋画像、虹彩情報、掌形画像、指画像、音声情報、精脈情報、ＩＤ番号、パスワードのうち少なくともいずれか１つを用いることを特徴とする請求項１または請求項２記載の遠隔試験・講習システム。
【請求項８】
前記生体情報取得手段により取得する受験・受講者の生体情報は、顔画像、指紋画像、虹彩情報、掌形画像、指画像、音声情報、精脈情報、体重情報のうち少なくともいずれか１つを用いることを特徴とする請求項１または請求項２記載の遠隔試験・講習システム。
【発明の詳細な説明】
【技術分野】
【０００１】
本発明は、たとえば、各種資格や自動車の運転免許取得を目的とした国家試験の受験や講習の受講を受験・受講者の自宅で行なうことが可能な遠隔試験・講習システムに関する。
【背景技術】
【０００２】
一般に、各種資格や自動車の運転免許を取得するために、その受験・受講者は所定の場所で集合方式で受験や受講を受けている。  
また、最近、自宅で英会話の講習を受けることが可能な遠隔教育支援システムが考えられている（たとえば、特許文献１参照）。
【特許文献１】特開２００２−７５８６号公報
【発明の開示】
【発明が解決しようとする課題】
【０００３】
しかし、集合方式では、受験・受講者にとって、その都度現地へ行くため、特に時間、その次に費用等がかかってしまう。受験・受講の開催者も集合方式では場所の確保が必要である。
【０００４】
これら問題のある集合方式ではなく、自宅で受験・受講する個別方式（たとえば、特許文献１）は、カンニングという問題がある。そのため、自宅で学力試験（単なる力ためし）ができるオンライン学力テストなるものは知られているが、資格や免許取得を目的とする受験・受講のリモート版（オンライン版）は実現されていない。
【０００５】
なお、資料持込可試験とし、自宅にいながら国家試験を受験できるものも知られているが、試験問題の改定等の手間を考えると、リモートでの受験受講のニーズが高く、その実現は待ち望まれている。
【０００６】
そこで、本発明は、受験・受講者の自宅において各種試験や講習を受けることが可能な遠隔試験・講習システムを提供することを目的とする。
【課題を解決するための手段】
【０００７】
本発明の遠隔試験・講習システムは、試験・講習主催者側に設置され、試験・講習を実行する試験・講習装置と、受験・受講者側に設置され、前記試験・講習装置と通信回線を介して互いに通信可能に接続された受験・受講端末装置とを有して構成され、前記受験・受講端末装置は、受験・受講者から本人を確認するための確認情報を取得する第１の確認情報取得手段と、この第１の確認情報取得手段により取得された確認情報を前記試験・講習装置へ送信する第１の送信手段とを具備し、前記試験・講習装置は、前記受験・受講端末装置の第１の送信手段により送信された確認情報を受信し、あらかじめ登録されている確認情報と照合することにより当該受験・受講者が本人であるか否かを判定する第１の照合手段と、この第１の照合手段による判定の結果、当該受験・受講者が本人である場合、前記受験・受講端末装置との間で試験・講習データの授受等を行なうことにより当該受験・受講者に対し所望の試験・講習を実行する試験・講習手段とを具備し、前記受験・受講端末装置は、前記試験・講習装置の試験・講習手段により試験・講習が行なわれている際、あらかじめ定められた時間ごとに当該受験・受講者の生体情報を取得する生体情報取得手段と、この生体情報取得手段により取得された生体情報を前記試験・講習装置へ送信する第２の送信手段とを具備し、前記試験・講習装置は、前記受験・受講端末装置の第２の送信手段により送信された生体情報を受信し、あらかじめ登録されている生体情報と照合することにより当該受験・受講者が他人に入れ替わったか否かを判定する第２の照合手段と、この第２の照合手段の判定結果に基づきあらかじめ定められた所定の制御を実行する第１の制御手段と、前記試験・講習手段による試験・講習が終了すると、その試験・講習結果を前記受験・受講端末装置へ送信する第３の送信手段とを具備し、前記受験・受講端末装置は、前記試験・講習装置の第３の送信手段により送信された試験・講習結果を受信し、当該受験・受講者に対し出力する出力手段を具備している。
【発明の効果】
【０００８】
本発明によれば、受験・受講者の自宅において各種試験や講習を受けることが可能な遠隔試験・講習システムを提供できる。
【発明を実施するための最良の形態】
【０００９】
以下、本発明の実施の形態について図面を参照して説明する。  
なお、以下の説明では、受験・受講者を確認するための確認情報として主に指紋画像を用いた場合を例として述べるが、指紋画像以外に、ＩＤ番号、パスワード、顔画像、虹彩情報、掌形画像、指画像、音声情報、精脈情報などの他の情報を１つあるいは複数組合わせて用いても同様に実施できる。
【００１０】
また、以下の説明では、受験・受講者から取得する生体情報として顔画像を用いた場合を例として述べるが、顔画像以外に、指紋画像、虹彩情報、掌形画像、指画像、音声情報、精脈情報、体重情報などの他の生体情報を１つあるいは複数組合わせて用いても同様に実施できる。
【００１１】
まず、第１の実施の形態について説明する。
【００１２】
図１は、第１の実施の形態に係る遠隔試験・講習システムの構成を模式的に示すものである。図１において、試験・講習を実行する試験・講習装置としての試験・講習サーバ１１は試験・講習主催者側に設置されている。
【００１３】
試験・講習サーバ１１には、試験・講習確認端末装置１２が接続されている。試験・講習確認端末装置１２は、端末用パーソナルコンピュータ（以降、単にパソコンと略称する）１３、資格・免許証を受取りにきた受験・受講者から本人を確認するための確認情報として指紋を取得する第２の確認情報取得手段としての指紋入力装置１４、同じく受験・受講者から本人を確認するための確認情報として顔画像を取得する第２の確認情報取得手段としてのビデオカメラ１５、同じく受験・受講者から本人を確認するための確認情報として音声を取得する第２の確認情報取得手段としてのスピーカ１６、後述する引換票などを印刷出力する出力手段としてのプリンタ１７などを有して構成されていて、指紋入力装置１４、ビデオカメラ１５、スピーカ１６およびプリンタ１７はそれぞれ端末用パソコン１３に接続されている。
【００１４】
試験・講習サーバ１１には、ネットワークなどの通信回線１８を介して、受験・受講者の自宅１９に設置された受験・受講端末装置２０が接続されている。受験・受講端末装置２０は、端末用パソコン２１、受験・受講を受ける受験・受講者から本人を確認するための確認情報として指紋を取得する第１の確認情報取得手段としての指紋入力装置２２、受験・受講の際に受験・受講者の生体情報として顔画像を取得したり、受験・受講者を含めた周辺の画像を取得したりする生体情報取得手段および画像監視手段としてのビデオカメラ２３、受験・受講の際に受験・受講者を含めた周辺の音声を取得する音声監視手段としてのスピーカ２４などを有して構成されていて、指紋入力装置２２、ビデオカメラ２３およびスピーカ２４はそれぞれ端末用パソコン２１に接続されている。
【００１５】
次に、このような構成において図２〜図４に示すフローチャートを参照して処理の流れを説明する。  
まず、試験・講習を受けようとする受験・受講者は、自宅１９において、端末用パソコン２１のキーボードにおいて所定の操作を行ない、試験・講習サーバ１１に対しアクセスすることにより（ステップＳ１）、端末用パソコン２１のディスプレイに確認情報入力画面が表示される（ステップＳ２）。
【００１６】
受験・受講者は、指紋入力装置２２を用いて確認情報としての指紋情報を入力する（ステップＳ３）。ここに、このステップＳ３の処理が本発明における第１の確認情報取得手段に対応している。次に、端末用パソコン２１は、指紋入力装置２２から入力された指紋情報を試験・講習サーバ１１に対し送信する（ステップＳ４）。ここに、このステップＳ４の処理が本発明における第１の送信手段に対応している。
【００１７】
試験・講習サーバ１１は、端末用パソコン２１から送信された指紋情報を受信し、あらかじめ登録されている指紋情報と照合することにより当該受験・受講者が本人であるか否かを判定する（ステップＳ５，Ｓ６）。ここに、このステップＳ５，Ｓ６の処理が本発明における第１の照合手段に対応している。
【００１８】
ステップＳ５，Ｓ６における判定の結果、当該受験・受講者が本人でない場合（たとえば、両指紋情報が不一致）、端末用パソコン２１のディスプレイにエラー表示を行なうように制御して（ステップＳ７）、当該処理を終了する。当該受験・受講者が本人である場合（たとえば、両指紋情報が一致）、端末用パソコン２１のディスプレイに試験・講習開始ボタンを表示するように制御する（ステップＳ８）。
【００１９】
ここで、当該受験・受講者が試験・講習開始ボタンを押下（クリック）すると（ステップＳ９）、試験・講習開始信号が試験・講習サーバ１１へ送信される。試験・講習サーバ１１は、試験・講習開始信号を受信すると、あらかじめ登録されている試験・講習データに基づき、端末用パソコン２１との間で試験・講習データの授受等を行なうことにより、当該受験・受講者に対し所望の試験・講習を実行する（ステップＳ１０）。ここに、このステップＳ１０の処理が本発明における試験・講習手段に対応している。
【００２０】
こうして、試験・講習が開始されると、受験・受講端末装置２０では、カメラ２３が受験・受講中の受験・受講者の顔画像を含めた周辺の画像を一定時間ごと（たとえば、１０秒間隔）に取得し、端末用パソコン２１へ送る（ステップＳ１１）。ここに、このステップＳ１１の処理が本発明における生体情報取得手段および画像監視手段に対応している。
【００２１】
端末用パソコン２１は、カメラ２３により取得された画像を試験・講習サーバ１１へ送信する（ステップＳ１２）。ここに、このステップＳ１２の処理が本発明における第２の送信手段および第３の送信手段に対応している。
【００２２】
試験・講習サーバ１１は、端末用パソコン２１から送信された画像を受信し、図示しないハードディスク装置などに記録するとともに（ステップＳ１３）、受信した画像内の受験・受講者の顔画像をあらかじめ登録されている顔画像と照合することにより当該受験・受講者が他人と入れ替わったか否かを判定する（ステップＳ１４，Ｓ１５）。ここに、このステップＳ１３の処理が本発明における記録手段に対応し、ステップＳ１４，Ｓ１５の処理が本発明における第２の照合手段に対応している。
【００２３】
ステップＳ１４，Ｓ１５における判定の結果、当該受験・受講者が他人と入れ替わった場合（たとえば、両顔画像が不一致）、試験・講習サーバ１１は、当該試験・講習を強制終了し（ステップＳ１６）、当該処理を終了する。なお、この場合、端末用パソコン２１のディスプレイに警告文を表示するように制御してもよい。ここに、このステップＳ１６の処理が本発明における第１の制御手段に対応している。
【００２４】
ステップＳ１４，Ｓ１５における判定の結果、当該受験・受講者が他人と入れ替わっていない場合（たとえば、両顔画像が一致）、試験・講習サーバ１１は、端末用パソコン２１から送信された画像内に、あらかじめ登録されている不正が行なわれたと見なせる画像が存在するか否かを判定する（ステップＳ１７，Ｓ１８）。この判定処理は、カンニングを防止したり、第三者の存在をチェックしたりするために行なうものである。ここに、このステップＳ１７，Ｓ１８の処理が本発明における画像不正判定手段に対応している。
【００２５】
ステップＳ１７，Ｓ１８における判定の結果、不正が行なわれたと見なせる画像が存在する場合、試験・講習サーバ１１は、当該試験・講習を強制終了し（ステップＳ１６）、当該処理を終了する。なお、この場合、端末用パソコン２１のディスプレイに警告文を表示するように制御してもよい。ここに、このステップＳ１６の処理が本発明における第２の制御手段に対応している。
【００２６】
ステップＳ１７，Ｓ１８における判定の結果、不正が行なわれたと見なせる画像が存在しない場合、受験・受講端末装置２０において、スピーカ２４が受験・受講中の受験・受講者を含めた周辺の音声を一定時間ごと（たとえば、１０秒間隔）に取得し、端末用パソコン２１へ送る（ステップＳ１９）。ここに、このステップＳ１９の処理が本発明における音声監視手段に対応している。
【００２７】
端末用パソコン２１は、スピーカ２４により取得された音声を試験・講習サーバ１１へ送信する（ステップＳ２０）。ここに、このステップＳ２０の処理が本発明における第３の送信手段に対応している。
【００２８】
試験・講習サーバ１１は、端末用パソコン２１から送信された音声を受信し、図示しないハードディスク装置などに記録するとともに（ステップＳ２１）、受信した画像内に、あらかじめ登録されている不正が行なわれたと見なせる音声が存在するか否かを判定する（ステップＳ２２，Ｓ２３）。この判定処理は、カンニングを防止したり、第三者の声の存在をチェックしたりするために行なうものである。ここに、このステップＳ２２，Ｓ２３の処理が本発明における音声不正判定手段に対応している。
【００２９】
ステップＳ２２，Ｓ２３における判定の結果、不正が行なわれたと見なせる音声が存在する場合、試験・講習サーバ１１は、当該試験・講習を強制終了し（ステップＳ１６）、当該処理を終了する。なお、この場合、端末用パソコン２１のディスプレイに警告文を表示するように制御してもよい。ここに、このステップＳ１６の処理が本発明における第２の制御手段に対応している。
【００３０】
なお、ステップＳ１９〜Ｓ２３の処理は、実際にはステップＳ１１〜Ｓ１８の処理と並列的に行なわれる。
【００３１】
ステップＳ２２，Ｓ２３における判定の結果、不正が行なわれたと見なせる音声が存在しない場合、端末用パソコン２１は、試験・講習が終了したか否かをチェックし（ステップＳ２４）、試験・講習が終了していなければステップＳ１１に戻り、上記同様な処理を繰り返す。
【００３２】
ステップＳ２４のチェックの結果、試験・講習が終了した場合、端末用パソコン２１は、試験・講習サーバ１１から送られた試験・講習の結果をディスプレイに表示する（ステップＳ２５）。
【００３３】
受験・受講者は、ディスプレイに表示された試験・講習の結果を目視することにより、資格・免許を取得できた場合、所定の場所（試験・講習主催者）へ資格・免許証を受取りに行く。  
すなわち、受験・受講者は、試験・講習主催者まで出向き、試験・講習確認端末装置１２の指紋入力装置１４を用いて確認情報としての指紋情報を入力する（ステップＳ２６）。ここに、このステップＳ２６の処理が本発明における第２の確認情報取得手段に対応している。次に、端末用パソコン１３は、指紋入力装置１４から入力された指紋情報を試験・講習サーバ１１へ送る（ステップＳ２７）。
【００３４】
試験・講習サーバ１１は、端末用パソコン１３から送られた指紋情報を、試験・講習の際に取得した（ステップＳ３で取得した）指紋情報と照合することにより当該受験・受講者が本人であるか否かを判定する（ステップＳ２８，Ｓ２９）。ここに、このステップＳ２８，Ｓ２９の処理が本発明における第３の照合手段に対応している。
【００３５】
ステップＳ２８，Ｓ２９における判定の結果、当該受験・受講者が本人でない場合（たとえば、両指紋情報が不一致）、端末用パソコン１３のディスプレイにエラー表示を行なうように制御して（ステップＳ３０）、当該処理を終了する。当該受験・受講者が本人である場合（たとえば、両指紋情報が一致）、端末用パソコン１３は、当該受験・受講者に対し資格・免許証の交付を許可する。すなわち、この例の場合、資格・免許証と引換えるための引換票をプリンタ１７により印刷する（ステップＳ３１）。
【００３６】
こうして印刷（発行）した引換票を受取りにきた受験・受講者に渡し、これを受取った受験・受講者が当該引換票を受取り窓口に提出することにより、所望の資格・免許証を受取る（ステップＳ３２）。
【００３７】
以上説明したような第１の実施の形態に係る遠隔試験・講習システムによれば、受験・受講者は自宅において各種試験や講習を受けることが可能となる。また、遠隔で受験・受講を行なう場合、受験・受講者の本人確認が行なえ、受験・受講状況の監視も画像や音声により行なうことができる。したがって、なりすましを防止でき、個別方式による受験・受講が可能となる。  
さらに、遠隔で受験・受講と資格・免許証の交付を行なう場合、交付に来た本人が受験・受講した人物と一致するか確認することができる。したがって、なりすましを防止でき、個別方式による受験・受講が可能となる。
【００３８】
次に、第２の実施の形態について説明する。
【００３９】
図５は、第２の実施の形態に係る遠隔試験・講習システムの構成を模式的に示すものである。第２の実施の形態の第１の実施の形態と異なる点は、受験・受講者から取得する生体情報として顔画像の外に体重情報をも用いるようにしたもので、そのために受験・受講端末装置２０内に体重測定手段としての通信機能付き体重測定装置２５を設けて、端末用パソコン２１に接続したものであり、その他は第１の実施の形態と同様であるので、同一部分には同一符号を付して説明する。なお、受験・受講者は、体重測定装置２５に載った状態で試験や講習を受ける。
【００４０】
次に、このような構成において図６〜図９に示すフローチャートを参照して処理の流れを説明する。  
まず、試験・講習を受けようとする受験・受講者は、自宅１９において、体重測定装置２５に載った状態で、端末用パソコン２１のキーボードにおいて所定の操作を行ない、試験・講習サーバ１１に対しアクセスすることにより（ステップＳ４１）、端末用パソコン２１のディスプレイに確認情報入力画面が表示される（ステップＳ４２）。
【００４１】
受験・受講者は、指紋入力装置２２を用いて確認情報としての指紋情報を入力する（ステップＳ４３）。ここに、このステップＳ４３の処理が本発明における第１の確認情報取得手段に対応している。次に、端末用パソコン２１は、指紋入力装置２２から入力された指紋情報を試験・講習サーバ１１に対し送信する（ステップＳ４４）。ここに、このステップＳ４４の処理が本発明における第１の送信手段に対応している。
【００４２】
試験・講習サーバ１１は、端末用パソコン２１から送信された指紋情報を受信し、あらかじめ登録されている指紋情報と照合することにより当該受験・受講者が本人であるか否かを判定する（ステップＳ４５，Ｓ４６）。ここに、このステップＳ４５，Ｓ４６の処理が本発明における第１の照合手段に対応している。
【００４３】
ステップＳ４５，Ｓ４６における判定の結果、当該受験・受講者が本人でない場合（たとえば、両指紋情報が不一致）、端末用パソコン２１のディスプレイにエラー表示を行なうように制御して（ステップＳ４７）、当該処理を終了する。当該受験・受講者が本人である場合（たとえば、両指紋情報が一致）、端末用パソコン２１のディスプレイに試験・講習開始ボタンを表示するように制御する（ステップＳ４８）。
【００４４】
ここで、当該受験・受講者が試験・講習開始ボタンを押下（クリック）すると（ステップＳ４９）、試験・講習開始信号が試験・講習サーバ１１へ送信される。試験・講習サーバ１１は、試験・講習開始信号を受信すると、あらかじめ登録されている試験・講習データに基づき、端末用パソコン２１との間で試験・講習データの授受等を行なうことにより、当該受験・受講者に対し所望の試験・講習を実行する（ステップＳ５０）。ここに、このステップＳ５０の処理が本発明における試験・講習手段に対応している。
【００４５】
こうして、試験・講習が開始されると、受験・受講端末装置２０では、体重測定装置２５が受験・受講中の受験・受講者の体重情報を一定時間ごと（たとえば、１０秒間隔）に取得し、端末用パソコン２１へ送る（ステップＳ５１）。ここに、このステップＳ５１の処理が本発明における生体情報取得手段に対応している。
【００４６】
端末用パソコン２１は、体重測定装置２５により取得された体重情報を試験・講習サーバ１１へ送信する（ステップＳ５２）。ここに、このステップＳ５２の処理が本発明における第２の送信手段および第３の送信手段に対応している。
【００４７】
試験・講習サーバ１１は、端末用パソコン２１から送信された体重情報を受信し、図示しないハードディスク装置などに記録するとともに（ステップＳ５３）、受信した体重情報をあらかじめ登録されている設定値と照合し、変動値の範囲内（体重の１０％）か否かにより、当該受験・受講者が他人と入れ替わったか否かを判定する（ステップＳ５４，Ｓ５５）。ここに、このステップＳ５３の処理が本発明における記録手段に対応し、ステップＳ５４，Ｓ５５の処理が本発明における第２の照合手段に対応している。
【００４８】
ステップＳ５４，Ｓ５５における判定の結果、当該受験・受講者が他人と入れ替わった場合（たとえば、体重が変動値の範囲外）、試験・講習サーバ１１は、当該試験・講習を強制終了し（ステップＳ５６）、当該処理を終了する。なお、この場合、端末用パソコン２１のディスプレイに警告文を表示するように制御してもよい。ここに、このステップＳ５６の処理が本発明における第１の制御手段に対応している。
【００４９】
ステップＳ５４，Ｓ５５における判定の結果、当該受験・受講者が他人と入れ替わっていない場合（たとえば、体重が変動値の範囲内）、受験・受講端末装置２０において、カメラ２３が受験・受講中の受験・受講者の顔画像を含めた周辺の画像を一定時間ごと（たとえば、２０分あるいは３０分間隔）に取得し、端末用パソコン２１へ送る（ステップＳ５７）。ここに、このステップＳ５７の処理が本発明における生体情報取得手段および画像監視手段に対応している。
【００５０】
端末用パソコン２１は、カメラ２３により取得された画像を試験・講習サーバ１１へ送信する（ステップＳ５８）。ここに、このステップＳ５８の処理が本発明における第２の送信手段および第３の送信手段に対応している。
【００５１】
試験・講習サーバ１１は、端末用パソコン２１から送信された画像を受信し、図示しないハードディスク装置などに記録するとともに（ステップＳ５９）、受信した画像内の受験・受講者の顔画像をあらかじめ登録されている顔画像と照合することにより当該受験・受講者が他人と入れ替わったか否かを判定する（ステップＳ６０，Ｓ６１）。ここに、このステップＳ５９の処理が本発明における記録手段に対応し、ステップＳ６０，Ｓ６１の処理が本発明における第２の照合手段に対応している。
【００５２】
ステップＳ６０，Ｓ６１における判定の結果、当該受験・受講者が他人と入れ替わった場合（たとえば、両顔画像が不一致）、試験・講習サーバ１１は、当該試験・講習を強制終了し（ステップＳ５６）、当該処理を終了する。なお、この場合、端末用パソコン２１のディスプレイに警告文を表示するように制御してもよい。ここに、このステップＳ５６の処理が本発明における第１の制御手段に対応している。
【００５３】
ステップＳ６０，Ｓ６１における判定の結果、当該受験・受講者が他人と入れ替わっていない場合（たとえば、両顔画像が一致）、試験・講習サーバ１１は、端末用パソコン２１から送信された画像内に、あらかじめ登録されている不正が行なわれたと見なせる画像が存在するか否かを判定する（ステップＳ６２，Ｓ６３）。この判定処理は、カンニングを防止したり、第三者の存在をチェックしたりするために行なうものである。ここに、このステップＳ６２，Ｓ６３の処理が本発明における画像不正判定手段に対応している。
【００５４】
ステップＳ６２，Ｓ６３における判定の結果、不正が行なわれたと見なせる画像が存在する場合、試験・講習サーバ１１は、当該試験・講習を強制終了し（ステップＳ５６）、当該処理を終了する。なお、この場合、端末用パソコン２１のディスプレイに警告文を表示するように制御してもよい。ここに、このステップＳ５６の処理が本発明における第２の制御手段に対応している。
【００５５】
ステップＳ６２，Ｓ６３における判定の結果、不正が行なわれたと見なせる画像が存在しない場合、受験・受講端末装置２０において、スピーカ２４が受験・受講中の受験・受講者を含めた周辺の音声を一定時間ごと（たとえば、１０分間隔）に取得し、端末用パソコン２１へ送る（ステップＳ６４）。ここに、このステップＳ６４の処理が本発明における音声監視手段に対応している。
【００５６】
端末用パソコン２１は、スピーカ２４により取得された音声を試験・講習サーバ１１へ送信する（ステップＳ６５）。ここに、このステップＳ６５の処理が本発明における第３の送信手段に対応している。
【００５７】
試験・講習サーバ１１は、端末用パソコン２１から送信された音声を受信し、図示しないハードディスク装置などに記録するとともに（ステップＳ６６）、受信した画像内に、あらかじめ登録されている不正が行なわれたと見なせる音声が存在するか否かを判定する（ステップＳ６７，Ｓ６８）。この判定処理は、カンニングを防止したり、第三者の声の存在をチェックしたりするために行なうものである。ここに、このステップＳ６７，Ｓ６８の処理が本発明における音声不正判定手段に対応している。
【００５８】
ステップＳ６７，Ｓ６８における判定の結果、不正が行なわれたと見なせる音声が存在する場合、試験・講習サーバ１１は、当該試験・講習を強制終了し（ステップＳ５６）、当該処理を終了する。なお、この場合、端末用パソコン２１のディスプレイに警告文を表示するように制御してもよい。ここに、このステップＳ５６の処理が本発明における第２の制御手段に対応している。
【００５９】
なお、ステップＳ５７〜Ｓ６３の処理、および、ステップＳ６４〜Ｓ６８の処理は、実際にはステップＳ５１〜Ｓ５５の処理と並列的に行なわれる。
【００６０】
ステップＳ６７，Ｓ６８における判定の結果、不正が行なわれたと見なせる音声が存在しない場合、端末用パソコン２１は、試験・講習が終了したか否かをチェックし（ステップＳ６９）、試験・講習が終了していなければステップＳ５１に戻り、上記同様な処理を繰り返す。
【００６１】
ステップＳ６９のチェックの結果、試験・講習が終了した場合、ステップＳ７０〜Ｓ７７の処理を実行する。このステップＳ７０〜Ｓ７７の処理は、前述した第１の実施の形態（図４）におけるステップＳ２５〜Ｓ３２の処理と同様であるので、説明は省略する。
【００６２】
このように、第２の実施の形態では、受験・受講者の体重によるチェックを例えば１０秒間隔で行ない、これと平行して受験・受講者の顔画像および周辺の画像によるチェックを例えば２０分あるいは３０分間隔で行なうとともに、周辺の音声によるチェックを例えば１０分間隔で行なうものである。
【００６３】
これにより、第２の実施の形態によれば、前述した第１の実施の形態と同様な作用効果が期待できるとともに、さらに、試験・講習サーバ１１および端末用パソコン２１の負荷を著しく軽減させることができる。  
すなわち、受験・受講者の受験・受講状況を画像で監視するには、あらかじめ試験・講習主催者側で登録してある不正画像とタイムリに照合（数メガバイトのデータ同士の照合）しなければならず、その処理を運用に耐えられる範囲内で実現するには、相当のコンピュータ性能が必要になる。そこで、第２の実施の形態では、チェック要素に受験・受講者の体重を加え、この体重によるチェックを主とすることで、画像によるチェックは数十分に一度程度よく、したがって、コンピュータ（試験・講習サーバ１１および端末用パソコン２１）の負荷を著しく軽減させることができるものである。
【００６４】
なお、上記実施の形態では、資格・免許証を受取る際の確認情報として指紋情報のみを用いたが、たとえば、その他に、カメラ１５により受験・受講者の顔画像を取得し、さらに、スピーカ１６により受験・受講者の音声情報を取得し、顔画像および音声情報を、試験・講習の際に取得した顔画像および音声情報とそれぞれ照合することにより、当該受験・受講者が本人であるか否かを判定するようにしてもよい。このようにすれば、より一層、本人確認の精度が向上する。
【図面の簡単な説明】
【００６５】
【図１】本発明の第１の実施の形態に係る遠隔試験・講習システムの構成を概略的に示す模式図。
【図２】第１の実施の形態に係る処理の流れを説明するフローチャート。
【図３】第１の実施の形態に係る処理の流れを説明するフローチャート。
【図４】第１の実施の形態に係る処理の流れを説明するフローチャート。
【図５】本発明の第２の実施の形態に係る遠隔試験・講習システムの構成を概略的に示す模式図。
【図６】第２の実施の形態に係る処理の流れを説明するフローチャート。
【図７】第２の実施の形態に係る処理の流れを説明するフローチャート。
【図８】第２の実施の形態に係る処理の流れを説明するフローチャート。
【図９】第２の実施の形態に係る処理の流れを説明するフローチャート。
【符号の説明】
【００６６】
１１…試験・講習サーバ（試験・講習装置）、１２…試験・講習確認端末装置、１３…端末用パソコン、１４…指紋入力装置（第２の確認情報取得手段）、１５…ビデオカメラ（第２の確認情報取得手段）、１６…スピーカ（第２の確認情報取得手段）、１７…プリンタ（出力手段）、１８…通信回線、１９…自宅、２０…受験・受講端末装置、２１…端末用パソコン、２２…指紋入力装置（第１の確認情報取得手段）、２３…ビデオカメラ（生体情報取得手段、画像監視手段）、２４…スピーカ（音声監視手段）、２５…体重測定装置（体重測定手段）。
【図１】
2005258364.tif 000003
【図２】
2005258364.tif 000004
【図３】
2005258364.tif 000005
【図４】
2005258364.tif 000006
【図５】
2005258364.tif 000007
【図６】
2005258364.tif 000008
【図７】
2005258364.tif 000009
【図８】
2005258364.tif 000010
【図９】
2005258364.tif 000011